(57)【要約】      （修正有）【課題】低電力でかつ周辺を汚損することのない霧化装置を提供する。【解決手段】本体ケース１と、格納箱２と、霧化ユニット４と、台座５と、制御ユニット９と、電力供給ユニット７とを備える。格納箱２は、本体ケース１の収容空間１０に配置し、液体を収容するに用いる。霧化ユニット４は格納箱２内に配置し、格納箱２に収容した液体を霧化させて、複数の霧化粒子を生成する。台座５は、格納箱２と本体ケース１との間に設置する。制御ユニット９は台座５に取り付け、霧化ユニット４と電気接続し、霧化ユニット４が液体を霧化させるために必要な振動周波数を制御する。電力供給ユニット７は台座５に取り付け、制御ユニット９と接続し、制御ユニット９を介して霧化ユニット４へ必要な電気と電子信号を供給する。【選択図】図２
0003168517.tif 000002
【実用新案登録請求の範囲】
【請求項１】
収容空間を有する本体ケースと、
前記収容空間内に配置し、液体を収容するに用いる格納箱と、
前記格納箱内、かつ前記格納箱の頂部と近接する箇所に配置し、前記格納箱に収容した前記液体を霧化させて、複数の霧化粒子を生成する霧化ユニットと、
前記格納箱と前記本体ケースとの間に設置する台座と、
前記台座上に取り付け、生成した前記霧化粒子を前記本体ケースの外部へ送り出す送風扇と、
前記台座上に取り付け、前記霧化ユニットおよび前記送風扇と接続し、前記霧化ユニットが前記液体を霧化させるために必要な振動周波数および前記送風扇の回転速度を制御する制御ユニットと、
前記台座上に取り付け、前記制御ユニットと接続し、前記制御ユニットを介して前記霧化ユニットと前記送風扇へ必要な電気を供給する電力供給ユニットと、
を備えることを特徴とする霧化装置。
【請求項２】
第１蓋体を前記本体ケースの頂部に回動可能に装設し、かつ前記第１蓋体と前記本体ケースとの間に開口部が形成されるように、前記第１蓋体の４隅のうちの１つの隅角部は上向きに所定の角度に折り曲げ、前記霧化粒子は前記開口部を経由して、前記本体ケースの外部へ拡散し、また、前記霧化粒子が前記第１蓋体の裏側に拡散して凝結液体が産生され、前記凝結液体は前記第１蓋体の裏側に沿って前記格納箱に落下して回収することを特徴とする、請求項１に記載の霧化装置。
【請求項３】
前記格納箱は、
前記収容空間内に配置する外部集水カップと、
前記外部集水カップ内に配置する内部集水カップと、
前記内部集水カップの底部に配置する第１濾過ユニットと、
前記外部集水カップの底部に配置する駆動ユニットと、
を備え、
前記外部集水カップと前記内部集水カップとは互いに連通し、前記凝結液体は前記第１蓋体の裏側に沿って前記内部集水カップ内に落下して回収されて、再び第１濾過ユニットにより不純物を濾過した後に、前記外部集水カップに流入させて、前記外部集水カップ内に貯まっていた前記凝結液体を前記駆動ユニットにより前記霧化ユニットに導入することを特徴とする、請求項２に記載の霧化装置。
【請求項４】
前記格納箱は、第２濾過ユニットを含み、前記第２濾過ユニットは前記内部集水カップの底部に配置し、前記凝結液体は前記第１蓋体の裏側に沿って前記第２濾過ユニットにより不純物を濾過された後に、前記内部集水カップに流入させることを特徴とする、請求項３に記載の霧化装置。
【請求項５】
前記第１濾過ユニットと前記第２濾過ユニットの部材は、濾過網、麦飯石、フィルタ、濾過炭層および有機発泡部材のいずれかであることを特徴とする、請求項４に記載の霧化装置。
【請求項６】
前記内部集水カップ、前記外部集水カップおよび前記本体ケースの部材は、プラスチックまたは金属であることを特徴とする、請求項３に記載の霧化装置。
【請求項７】
霧化ユニットは、
前記内部集水カップと前記外部集水カップとの間に配置して、前記内部集水カップ上に接続する取り付け台と、
前記取り付け台の片側に配置し、片端は前記駆動ユニットに連結され、前記駆動ユニットにより導入される前記凝結液体を輸送する送水チューブと、
前記取り付け台上の前記送水チューブと隣接する箇所に配置し、前記駆動ユニットにより導入される前記凝結液体が所与間隔おきに曲面水膜を形成して吸着する霧化モジュールと、
を備えることを特徴とする、請求項３に記載の霧化装置。
【請求項８】
前記霧化モジュールは、
前記取り付け台に取り付ける圧電駆動素子と、
前記圧電駆動素子に連結され、かつ複数の微細穴を有する霧化シートと、
を備え、
前記霧化シートと前記送水チューブの他端との間には前記所与間隔があり、前記霧化シートの前記複数の微細穴が前記曲面水膜を霧化させて前記霧化粒子を生成させるように、前記圧電駆動素子により霧化シートを振動させることを特徴とする、請求項７に記載の霧化装置。
【請求項９】
前記電力供給ユニットはバッテリケースであり、前記本体ケースはバッテリケースに対向する箇所に第２蓋体が装設され、前記第２蓋体を前記本体ケースの側面に開閉自在に装設することを特徴とする、請求項１に記載の霧化装置。
【請求項１０】
前記台座の中央箇所には多色発光素子が設けられ、前記多色発光素子と前記制御ユニットとを接続し、前記制御ユニットにより前記多色発光素子が発する光色または点滅頻度を制御し、また前記多色発光素子が発する光色と点滅頻度は、それぞれ前記霧化装置の操作モードを表すことを特徴とする、請求項１に記載の霧化装置。
【請求項１１】
前記制御ユニットと接続する外部電力接続ユニットをさらに備えることを特徴とする、請求項１に記載の霧化装置。
【請求項１２】
前記外部電力接続ユニットは１１０ボルトの交流電源コードまたは５ボルトの直流電源コードのいずれかであることを特徴とする、請求項１１に記載の霧化装置。
【請求項１３】
前記液体は、水、薬液、芳香精油または前記した２種以上の液体の混合溶液のいずれかであることを特徴とする、請求項１に記載の霧化装置。
【請求項１４】
前記本体ケースの表面には複数のくり抜き穴が設けられることを特徴とする、請求項１に記載の霧化装置。
【考案の詳細な説明】
【技術分野】
【０００１】
本考案は一種の霧化装置に関し、特に一種の液体を霧化粒子に霧化させる霧化装置に関する。
【背景技術】
【０００２】
現在、公知の霧化装置は振動原理を利用して液体を霧状態に変換して噴霧する方式が応用されている。ブラウン運動効果によって、液体分子を空気に混入させた空気の性質を変化することが出来る。このような霧化装置は、薬物または芳香剤の発散装置、また、そのほかに気候が乾燥している地域や国などでは、室内の加湿に使用されていることも活用している。
【考案の概要】
【考案が解決しようとする課題】
【０００３】
ただし、前述した空気性質を変化させる霧化装置は水循環の回収の働きがない。また、霧化装置を使用するときに、霧化装置から噴霧した霧化粒子が出口部にて水滴で凝結することがよく発生する。それらの水滴が所定の量までにたまった後には、霧化装置の表面に沿って霧化装置の置く処（たとえば、テーブルの表面）に落下して、環境に濡れてしまいまたは置く処の周りのテーブルクロスや衣類などの物品を汚すことが多い。
このほか、従来の浸水式超音波霧化シートが取り付けられた従来の霧化装置は、水霧の生成には多くの電力が必要となるため、電池または低電流の電力供給方式（たとえば、ＵＳＢ電源コードのように５ボルトの直流電源が供給される）を使用できないのが原因で、携帯利便性に困難がある。
【課題を解決するための手段】
【０００４】
前述公知技術の課題を対処するために、本考案の目的は、霧化装置の周りが霧化粒子による濡れてしまうまたは汚すことを防ぐことができる霧化装置を提供する。
【０００５】
本考案の目的に基づいて提案した霧化装置は、格納箱と、本体ケースと、霧化ユニットと、台座と、送風扇と、制御ユニットと、電力供給ユニットとを備える。本体ケースは、収容空間を有する。格納箱は、その収容空間内に配置し、液体を収容するに用いる。霧化ユニットは、格納箱の頂部と近接する箇所に配置し、格納箱に収容した液体を霧化させて、その液体から霧化粒子に生成させる。台座は、格納箱と本体ケースとの間に設置されている。送風扇は、その台座上に取り付け、霧化粒子を本体ケースの外部へ送り出して噴霧させる。制御ユニットは、台座上に取り付け、霧化ユニットと送風扇と接続し、霧化ユニットが液体を霧化させるために必要な振動周波数および前記送風扇の回転速度を制御することができる。電力供給ユニットは、台座上に取り付け、制御ユニットと接続し、その制御ユニットを介して霧化ユニットと送風扇へ必要な電気を供給することができる。
さらに、第１蓋体を本体ケースの頂部に回動可能に装設して、第１蓋体と本体ケースとの間に開口部が形成できるように、第１蓋体の４隅のうちの１つの隅角部は上向きに所定の角度に折り曲げ、それらの霧化粒子はこの開口部を経由して、本体ケースの外部へ拡散することができ、また、霧化粒子が第１蓋体の裏側に拡散して凝結液体が産生され、その凝結液体は、第１蓋体の裏側に沿って格納箱に落下して回収することができる。
【０００６】
また、格納箱は、外部集水カップと、内部集水カップと、第１濾過ユニットと、駆動ユニットとを備える。外部集水カップは、収容空間内に配置し、内部集水カップは、その外部集水カップ内に配置する。第１濾過ユニットは、内部集水カップの底部に配置する。駆動ユニットは、外部集水カップの底部に配置する。駆動ユニットは、外部集水カップ内の液体を霧化ユニットに導入する。内部集水カップは、外部集水カップと互いに連通しており、上記した凝結液体は、第１蓋体の裏側に沿って格納箱内の内部集水カップに落下して回収されて、第１濾過ユニットにより不純物を濾過した後に、外部集水カップに流入させる。最後に、外部集水カップ内貯まっていた凝結液体を駆動ユニットにより霧化ユニットに導入して、液体の霧化を行う。
また、格納箱は、第２濾過ユニットをさらに備えてもよい、その第２濾過ユニットは内部集水カップの底部に配置し、凝結液体は、第１蓋体の裏側に沿って第２濾過ユニットにより不純物を濾過された後に、内部集水カップに流入させる。
第１濾過ユニットと第２濾過ユニットの部材は、濾過網、麦飯石、フィルタ、濾過炭層および有機発泡部材のいずれかであってもよい。
内部集水カップ、外部集水カップおよび本体ケースの部材は、プラスチックまたは金属であってもよい。
【０００７】
また、霧化ユニットは、取り付け台と、送水チューブと、霧化モジュールとを備えてもよい。取り付け台は、内部集水カップと外部集水カップとの間に配置して、内部集水カップ上に接続する。送水チューブの片端は、駆動ユニットに連結され、他端は、霧化シートとの間に所与間隔を隔って、取り付け台の片側に配置している。送水チューブは、駆動ユニットにより導入された外部集水カップ内の凝結液体を輸送するに用いる。霧化モジュールは、取り付け台上の送水チューブと隣接する箇所に配置し、駆動ユニットにより導入された凝結液体が駆動ユニットと霧化ユニットとの間に所与間隔を隔って、曲面水膜が形成される。以上の配置によって曲面水膜は、霧化モジュールの霧化シートに吸着することができる。
【０００８】
また、霧化モジュールは、圧電駆動素子と、霧化シートとを備えてもよい。圧電駆動素子は、取り付け台に取り付ける。霧化シートは、複数の微細穴を有し、圧電駆動素子に連結される。この霧化シートは、送水チューブの他端との間には所与間隔があるように取り付け台上に設置され、曲面水膜は、この霧化シートの片面に吸着することができる。霧化シートの複数の微細穴が曲面水膜を霧化させて、霧化粒子を生成させるように、圧電駆動素子は、霧化シートと連結して、霧化シートを連動させて振動させる。
電力供給ユニットは、バッテリケースであってもよい、こういう場合、本体ケースはバッテリケースに対向する箇所に第２蓋体が装設され、第２蓋体を本体ケースの側面に開閉自在ように装設してもよい。このほかに、制御ユニットと接続する外部電力接続ユニットをさらに備えてもよい。ここでの外部電力接続ユニットとしては１１０ボルトの交流電源コードまたは５ボルトの直流電源コードのいずれかであってもよい。
台座の中央箇所には多色発光素子を設けてもよい、その多色発光素子は、前記制御ユニットと接続し、制御ユニットにより多色発光素子が発する光色または点滅頻度を制御することができる。それらの多色発光素子が発する光色と点滅頻度は、それぞれ霧化装置の操作モードを表すことができる。
上記した液体としては、水、薬液、芳香精油または前記した２種以上の液体の混合溶液のいずれかであってもよい。本体ケースの表面には複数のくり抜き穴が設けられることが好適である。
【考案の効果】
【０００９】
前述とおり、本考案に係る霧化装置は、以下に示す一つまたは複数の長所を有する。
【００１０】
イ、本考案に係る霧化装置の液体回収機構の駆動ユニットは主導型駆動素子であり、自ら霧化ユニットに対して液体を導入して供給することができる。さらに、外付け電力の使用が可能となり、他のタイプの霧化装置の電力消費に比べれば、かなり低く、高度な携帯利便性を有する。
【００１１】
ロ、本考案に係る霧化装置の設計は公知の霧化装置に対して、凝結された液体を回収する省エネ効果がある。
【００１２】
ハ、本考案に係る霧化装置は制御ユニットを有し、霧化周波数の調節機能を提供することが可能。
【００１３】
二、本考案に係る霧化装置の液体回収機構の外観設計は凝結された液体を完全に回収することができ、霧化装置の置く処の周りを濡れたり、汚したりすることを防ぐことができる。
【００１４】
ホ、本考案に係る霧化装置の第１蓋体は複数の霧化粒子のうち、粒径の大きい霧化粒子を引き止めて第１蓋体に付着させることによって、回収して再び霧化が可能となる。一方、粒径の小さい霧化粒子を放出することによって、霧化粒子に対する粒径のスクリーニングの働きを有している。さらに、送風扇の稼働と合わせて、拡散能力を向上できる。
【図面の簡単な説明】
【００１５】
【図１】本考案に係る霧化装置の構成を示す図である。
【図２】本考案に係る霧化装置の構造を示す分解態様図である。
【図３】本考案に係る霧化装置の外観を示す図である。
【図４】本考案に係る霧化装置を示す断面図である。
【図５】本考案に係る霧化モジュールを示す断面図である。
【考案を実施するための形態】
【００１６】
以下は関連図面に基づいて、本考案の霧化装置の実施例を説明する。より理解できるように、以下の実施例では、同じ素子は同じ符号をつけて説明する。
【００１７】
図１と図２はそれぞれ本考案に係る霧化装置の構成を示す図と構造を示す分解態様図である。これらの図において、霧化装置は、プラスチックまたは金属製の本体ケース１と、格納箱２と、第１蓋体３と、霧化ユニット４とを備える。本体ケース１は、収容空間１０を有し、格納箱２は、その収容空間１０内に配置し、液体を収容するに用いる。霧化ユニット４は、格納箱２の頂部と近接する箇所に配置し、格納箱２に収容した液体を霧化させて、その液体から複数の霧化粒子に生成させる。第１蓋体３の４隅のうちの１つの上向きに所定の角度に折り曲げる隅角部３１を有し、第１蓋体３と本体ケース１とを閉合するとき、隅角部３１と第１蓋体３との間に開口部１２（図３を参照）が形成されて、霧化粒子を本体ケース１に放出させる。また、霧化粒子が第１蓋体３の裏側に拡散して凝結液体が産生され、その凝結液体は、第１蓋体３の裏側に沿って格納箱２に落下して回収することができる。
【００１８】
図４に示すように、本考案に係る霧化装置の断面図を参照する。この図において、格納箱２は、プラスチックまたは金属製の外部集水カップ２０と、プラスチックまたは金属製の内部集水カップ２２と、駆動ユニット２４と、第１濾過ユニット２６とを備える。外部集水カップ２０は、収容空間１０内に配置し、内部集水カップ２２は、その外部集水カップ２０内に配置し、内部集水カップ２２と外部集水カップ２０の構造設計は互いに連通できるように構成される。第１濾過ユニット２６は、内部集水カップ２２の底部に配置する。駆動ユニット２４は、外部集水カップ２０の底部に配置する。
【００１９】
前述の通り、駆動ユニット２４は、外部集水カップ２０内の液体を霧化ユニット４（４０,４２,４４）に導入させ、霧化ユニット４によって格納箱２より搬送された液体を霧化させる。さらに、霧化粒子が第１蓋体３の裏側に拡散して凝結液体が産生され、その凝結液体は、第１蓋体３の裏側に沿って内部集水カップ２２に落下して回収することができ、第１濾過ユニット２６により不純物を濾過した後に、外部集水カップ２０に流入させる。このように、前述動作を繰り返せば、霧化装置の置く処の周りを濡れたり、汚したりすることを防ぐことができる。
【００２０】
第１濾過ユニット２６としては濾過網、麦飯石、フィルタ、濾過炭層または有機発泡部材などのように不純物を濾過できる部材で実施してもよい。さらに、必要に応じて第２濾過ユニット２８を内部集水カップ２２の底部に追加することもできる。同じように、第２濾過ユニット２８は濾過網、麦飯石、フィルタ、濾過炭層または有機発泡部材などのように不純物を濾過できる取り替え式の濾過部材で実施してもよい。第１濾過ユニット２６または第２濾過ユニット２８が有機発泡部材で実施し、液体が芳香精油で実施する場合、本考案に係る霧化装置は香りを拡散する効果を有する。さらに、駆動ユニット２４はポンプ、または毛細管構造の輸送チューブなどのような液体を輸送させる装置または素子で実施してもよい。内部集水カップ２２と外部集水カップ２０との部材は、格納箱２内の液体が持ち性質によって、相応するプラスチック、金属、合金または複合部材のいずれかまたはその組み合わせものであってもよい。
【００２１】
図２と図４を合わせて参照し、霧化ユニット４は、取り付け台４０と、送水チューブ４２と、霧化モジュール４４とを備える。取り付け台４０は、内部集水カップ２２と外部集水カップ２０との間に配置されている。送水チューブ４２の片端は、駆動ユニット２４に連結され、他端は、霧化シート４４２（図５を参照）との間に所与間隔を隔って、取り付け台４０の片側に配置している。送水チューブ４２は、駆動ユニット２４により導入された外部集水カップ２０内の凝結液体を輸送する。霧化モジュール４４は、取り付け台４０上の送水チューブ４２と隣接する箇所に配置し、駆動ユニット２４により導入された外部集水カップ２０内の凝結液体が駆動ユニット２４と霧化モジュール４４との間に曲面水膜４４３（図５を参照）が形成される。この曲面水膜４４３は、霧化モジュール４４の霧化シート４４２に吸着することができる。
【００２２】
図５に示すように、本考案に係る霧化モジュールの断面図を参照する。霧化モジュール４４は、圧電駆動素子４４０と、霧化シート４４２とを備える。圧電駆動素子４４０は、取り付け台４０に取り付け、霧化シート４４２は、圧電駆動素子４４０に連結し、送水チューブ４２の他端との間には所与間隔があるように取り付け台４０上に設置される。その間隔には、送水チューブ４２より霧化シート４４２に輸送した液体が、曲面水膜４４３が形成されるように構成される。霧化シート４４２は、複数の微細穴（図示していない）を有し、霧化シート４４２が圧電駆動素子４４０により駆動された場合に、振動をし始めて、曲面水膜４４３を霧化させで、霧化粒子を生成することができる。
【００２３】
また、図２に示すように、本考案に係る霧化装置はさらに台座５を備えてもよい、台座５は、外部集水カップ２０の底部と本体ケース１の底部との間に設置されている。台座５上には、送風扇６と、電力供給ユニット７および多色発光素子８を取り付ける。また、電力供給ユニット７は、台座５の底部に配置した制御ユニット９と連結する。制御ユニット９は、圧電駆動素子４４０（図５を参照）と、送風扇６と、外部電力接続ユニット７０（図３を参照）と、多色発光素子８とを連結する。制御ユニット９は、さらに制御スイッチ９０（図３を参照）と連結するように構成される。その上、本体ケース１の表面には、電力供給ユニット７に対向する箇所に第２蓋体１４が装設され、第２蓋体１４を本体ケース１から開くと、電力供給ユニット７はちょうど外部と向かうことが可能。
【００２４】
さらに、電力供給ユニット７と外部電力接続ユニット７０は、制御ユニット９と、送風扇６と、多色発光素子８の作動に必要な電力をそれぞれ供給するに用いる。制御ユニット９は、圧電駆動素子４４０の振動周波数または間欠作動モードを制御し、多色発光素子８が霧化装置の稼働状態に相応した発光状態と送風扇６の回転速度を制御することができる。制御スイッチ９０を通じて、使用者は、圧電駆動素子４４０の振動周波数と送風扇６の回転速度を調節できる。
【００２５】
さらに、制御ユニット９により多色発光素子８が発する光色の変化または点滅頻度を制御して、使用者に霧化装置の現在の稼働状態を知らせることができる。たとえば、圧電駆動素子４４０の振動周波数または間欠作動モードが増加した場合、多色発光素子８が何色のうちの１つの色で表示し、圧電駆動素子４４０の振動周波数のまたは間欠作動モードが減少した場合、多色発光素子８が別の色で表示するように構成される。多色発光素子８がさらに別の色または点滅の発光状態で表示し、格納箱２の水位の低下または霧化装置の故障を表示することもできる。即ち、多色発光素子８が発するさまざまな光色と点滅頻度によって、それぞれ対応する異なる操作モードまたは装置故障の表示ができる。
【００２６】
このほか、電力供給ユニット７は、バッテリケースまたは充電器であってもよい。このような構成することで、第２蓋体１４を本体ケース１から開くと、バッテリケースまたは充電器内のバッテリの交換ができる。外部電力接続ユニット７０は、直流電源コード（たとえば、ＵＳＢ電源コードのように５ボルトの直流電源が供給される）、交流電力を直流電力に変換できる電源コード（たとえば、１１０ボルトの交流電力を変圧器によって５ボルトの直流電気に変換する）、普通の家庭用コンセントに連結する電源コードのいずれかであってもよい。多色発光素子８は、複数の異なる光色の電球、複数の光色のＬＥＤ、多色変化機能を備えた既存の発光素子のいずれかであってもよい。
【００２７】
さらに、本体ケース１の表面には複数のくり抜き穴１６が設けられることが好適であって、くり抜き穴１６の形としては桜形、星形やブロックなどの形状で実施することができる。送風扇６は、本体ケース１のくり抜き穴１６を利用し、本体ケース１の外部の空気を本体ケース１内に吸入して、本体ケース１内の他の素子が構成された空間と合わせて、霧化粒子を開口部１２を経由して、本体ケース１の外部へ拡散させる。非使用場合には、携帯の便利を図るために第１蓋体３を裏返して閉合し、収納しておく。霧化装置に使用できる液体としては水、薬液、芳香精油または前述した２種以上の液体の混合溶液のいずれかであってもよい。
【００２８】
以上に説明したものは、本考案の好ましい実施例であり、本考案実施の範疇に制限を加えるものではない。本考案の精神と範疇を逸脱しない限り、その等効果修正又は変更は、なお、本明細書の実用新案登録請求範疇に含まれるものとする。
【符号の説明】
【００２９】
１      本体ケース
１０    収容空間
１２    開口部
１４    第２蓋体
１６    くり抜き穴
２      格納箱
２０    外部集水カップ
２２    内部集水カップ
２４    駆動ユニット
２６    第１濾過ユニット
２８    第２濾過ユニット
３      第１蓋体
３１    隅角部
４      霧化ユニット
４０    取り付け台
４２    送水チューブ
４４    霧化モジュール
４４０  圧電駆動素子
４４２  霧化シート
４４３  曲面水膜
５      台座
６      送風扇
７      電力供給ユニット
７０    外部電力接続ユニット
８      多色発光素子
９      制御ユニット
９０    制御スイッチ
【図１】
0003168517.tif 000003
【図２】
0003168517.tif 000004
【図３】
0003168517.tif 000005
【図４】
0003168517.tif 000006
【図５】
0003168517.tif 000007